(57)【特許請求の範囲】
【請求項１】
シート材を加工してシート加工製品を製造するシート加工製品製造システムであって、シート加工装置と、
前記シート加工装置の動作状態を感知する装置動作感知手段と、
前記シート加工装置の動作を制御する装置制御部と、
ナビゲーションシステム制御部と、
記憶手段と、
タッチパネル式の操作表示部とを有し、
前記ナビゲーションシステム制御部は、前記装置動作感知手段の出力信号に基づいて、前記記憶手段から操作者の作業項目の操作案内の画面データを選択して読出して前記タッチパネル式の操作表示部に操作案内と確認ボタンを一緒に表示させ、
操作者に、前記シート加工装置を停止させて前記操作案内に従って作業を行わせ、
該作業を終了した操作者を前記確認ボタンに接触させることで指令を受信し次の動作に進むことを特徴とするシート加工製品製造システム。
【請求項２】
請求項１のシート加工製品製造システムであって、第１のロール状シートから連続シートを巻き出しながら加工を施して第２のロール状シートに巻き取ることでロール状の前記シート加工製品を製造することを特徴とするシート加工製品製造システム。
【請求項３】
請求項１又は２に記載のシート加工製品製造システムであって、前記ナビゲーションシステム制御部により制御される警報ランプあるいは音の出力部を備えた警報部を有することを特徴とするシート加工製品製造システム。
【請求項４】
請求項１乃至３の何れか一項に記載のシート加工製品製造システムであって、
入稿システムを有し、
前記入稿システムが仕様書情報のデータを記憶し、
前記ナビゲーションシステム制御部が、製品情報データを操作者から入力させ、
該製品情報データに対応する仕様書情報のデータを前記入稿システムから取得し、
前記仕様書情報のデータに従って前記シート加工装置の動作を制御することを特徴とするシート加工製品製造システム。
【発明の詳細な説明】
【技術分野】
【０００１】
本発明は、生産材のシートに塗工などの加工を行うシート加工装置を用いてシート加工製品を製造する生産工程において、シート加工製品を人為ミス無く高品質に製造するシート加工製品製造システムに関する。
【背景技術】
【０００２】
従来、特許文献１のように、ロール巻取状のプラスチックフィルム等のロール状原反を生産材として、蒸着プラスチックフィルム等のロール状のシート加工製品を加工生産する場合において、ロール状原反に対して、例えば、蒸着工程→コーティング工程→スリッター工程でロール状のシート加工製品を製造している。
【０００３】
一般的に、ロール状原反の生産材を蒸着工程で、第１のロール状シートとして蒸着用のシート加工装置に設置し、第１のロール状シートを巻き出しながら、その巻き出される連続シートに蒸着して、その連続シートを第２のロール状シートとして一旦巻き取る。続いてコーティング機から成るシート加工装置に、蒸着したロール状シートを第１のロール状シートとして設置し、その第１のロール状シートを巻き出しながらコーティング工程にて得られる連続シートを、再び、一旦、第２のロール状シートとして巻き取る。さらに、スリッター機から成るシート加工装置に、蒸着、コーティング加工したロール状シートを第１のロール状シートとして設置し、その第１のロール状シートを巻き出しながらスリッター工程にて得られる連続シートを第２のロール状シートとして巻き取ることで、蒸着工程→コーティング工程→スリッター工程等の各工程を経てロール状のシート加工製品を生産している。
【先行技術文献】
【特許文献】
【０００４】
【特許文献１】特開２００６−３０６５０９号公報
【発明の概要】
【発明が解決しようとする課題】
【０００５】
ここで、シート加工製品を製造する工程で手作業の必要があり、例えば、ロール状のシート加工製品をスリット加工するスリッター工程でシート加工製品の品質不良部を手作業で除去する作業等を行う。
【０００６】
それらの手作業工程は、各シート加工装置の操作者がチェック表に作業の実施記録を記載したり、製品仕様書を順次に確認しながら、順に製造工程を進めるが、そのように手順書を順次に確認しながら製造工程を進めても人為的ミスが入り込む場合が多かった。このように、手作業を行う工程では品質管理が難しい問題がある。
【０００７】
本発明は、以上の問題点を解決するもので、シート加工製品を製造する工程において、人為ミスを低減してシート加工製品の製造品質を高めることを目的とするものである。
【課題を解決するための手段】
【０００８】
本発明は、上記課題を解決するために、シート材を加工してシート加工製品を製造するシート加工製品製造システムであって、
シート加工装置と、
前記シート加工装置の動作状態を感知する装置動作感知手段と、
前記シート加工装置の動作を制御する装置制御部と、
ナビゲーションシステム制御部と、
記憶手段と、
タッチパネル式の操作表示部とを有し、
前記ナビゲーションシステム制御部は、前記装置動作感知手段の出力信号に基づいて、前記記憶手段から操作者の作業項目の操作案内の画面データを選択して読出して前記タッチパネル式の操作表示部に操作案内と確認ボタンを一緒に表示させ、
操作者に、前記シート加工装置を停止させて前記操作案内に従って作業を行わせ、
該作業を終了した操作者を前記確認ボタンに接触させることで指令を受信し次の動作に進むことを特徴とするシート加工製品製造システムである。
【０００９】
また、本発明は、上記のシート加工製品製造システムであって、第１のロール状シートから連続シートを巻き出しながら加工を施して第２のロール状シートに巻き取ることでロール状の前記シート加工製品を製造することを特徴とするシート加工製品製造システムである。
【００１０】
また、本発明は、上記のシート加工製品製造システムであって、前記ナビゲーションシステム制御部により制御される警報ランプあるいは音の出力部を備えた警報部を有することを特徴とするシート加工製品製造システムである。
【００１１】
また、本発明は、上記のシート加工製品製造システムであって、
入稿システムを有し、
前記入稿システムが仕様書情報のデータを記憶し、
前記ナビゲーションシステム制御部が、製品情報データを操作者から入力させ、
該製品情報データに対応する仕様書情報のデータを前記入稿システムから取得し、
前記仕様書情報のデータに従って前記シート加工装置の動作を制御することを特徴とするシート加工製品製造システムである。
【発明の効果】
【００１２】
本発明のシート加工製品製造システムは、シート製造指示システムを有し、そのシート製造指示システムの操作表示部２６０に表示される画面の案内に基づいて操作者がシート加工装置を操作する。また、操作表示部２６０に表示される画面の確認ボタンＢＳが押されない限りシート加工装置１００の運転が再開できないようにする。
【００１３】
それにより、操作者が作業内容を確認することなく、シート加工装置１００の運転が再開されてしまう作業の人為ミスを低減できる効果がある。そのため、本発明のシート加工製品製造システムを用いることで、シート加工製品を製造する工程において、人為ミスを低減してシート加工製品の製造品質を高めることができる効果がある。
【図面の簡単な説明】
【００１４】
【図１】本発明の第１の実施形態のシート加工製品製造システムのブロック図である。
【図２】（ａ）本発明が用いる、装置動作シーケンスデータのデータ構造を説明する図である。（ｂ）本発明の実施形態が用いる、表示画面データのデータ構造を説明する図である。
【図３】本発明の第１の実施形態のシート加工製品製造システムの動作手順を示すフローチャートである。
【図４】本発明が用いる操作表示部が表示する画面（その１）を示す図である。
【図５】本発明が用いる操作表示部が表示する画面（その２）を示す図である。
【図６】本発明の第２の実施形態のシート加工製品製造システムのブロック図である。
【図７】本発明の第２の実施形態のシート加工製品製造システムの動作手順を示すフローチャート（その１）である。
【図８】本発明の第２の実施形態のシート加工製品製造システムの動作手順を示すフローチャート（その２）である。
【図９】本発明が用いる操作表示部が表示する画面（その３）を示す図である。
【図１０】本発明が用いる操作表示部が表示する画面（その４）を示す図である。
【図１１】本発明の第３の実施形態のシート加工製品製造システムのブロック図である。
【図１２】本発明の第３の実施形態のシート加工製品製造システムの動作手順を示すフローチャート（その１）である。
【図１３】本発明の第３の実施形態のシート加工製品製造システムの動作手順を示すフローチャート（その２）である。
【図１４】本発明の第３の実施形態の操作表示部が表示する画面を示す図である。
【図１５】本発明の第３の実施形態が用いる、仕様書情報のデータのデータ構造を説明する図である。
【発明を実施するための形態】
【００１５】
＜第１の実施形態＞
以下、本発明のシート加工製品製造システムの第１の実施形態を図１から図５を参照して説明する。
（シート加工製品製造システムの構成）
図１は、第１の実施形態のシート加工製品製造システムのブロック図である。シート加工製品製造システムは、ロール状のシート加工製品を製造する各工程の、印刷機、コーター機、ルーダー機、スリッター機等のシート加工製品を製造するためのシート加工装置１００に、シート製造指示システムを設置する。
【００１６】
このシート製造指示システムは、シート加工装置１００に設置してシート加工装置１００の動作状態を感知する動作センサや動作位置計測手段等の装置動作感知手段２１０と、シート加工装置１００の停止と開始の動作の制御を行う装置制御部２２０と、ナビゲーションシステム制御部２３０と記憶手段２４０と操作表示部２６０とで構成する。
【００１７】
ナビゲーションシステム制御部２３０は、シート加工装置１００の動作シーケンスを制御する装置であり、装置動作感知手段２１０の出力信号（装置動作感知信号Ｄ１０２）を受信し、装置制御部２２０に制御信号を送信し、記憶手段２４０と操作表示部２６０とに接続されている。ナビゲーションシステム制御部２３０は、装置動作感知手段２１０と操作表示部２６０からの信号に応答して装置制御部２２０に制御信号を送信するようにプログラムされたシーケンサ、あるいは、記憶手段２４０に記憶したプログラムの手順に従って動作する演算手段（ＣＰＵ）で構成する。
【００１８】
記憶手段２４０は、図２（ａ）のような、ナビゲーションシステム制御部２３０のシーケンサの動作モード、又は、ナビゲーションシステム制御部２３０の演算手段（ＣＰＵ）の制御プログラム等の装置動作シーケンスデータＤ１００を記録する。また、記憶手段２４０は、図２（ｂ）のような、操作表示部２６０の画面に表示画面項目Ｄ２０１に対応して表示すべき表示データＤ２０２を記録した表示画面データＤ２００を記憶する。
【００１９】
ナビゲーションシステム制御部２３０は、装置動作感知手段２１０の出力信号（装置動作感知信号Ｄ１０２）に基づいて、記憶手段２４０から操作表示部２６０に表示させる画面データを呼び出し、タッチパネル式の操作表示部２６０に表示させる。このとき操作者に通知するために警報ランプあるいは音声出力部を有する警報部２５０を用いて通知する。また、ナビゲーションシステム制御部２３０は、タッチパネル式の操作表示部２６０からの操作者の指令を受信し、それに従って、装置制御部２２０を制御することで、シート加工装置１００の停止、開始の制御を行う。
【００２０】
本実施形態における生産工程としては、例えば、第１単位工程として、例えば蒸着用シート加工装置１００により、ロール状原反（生産材）等の第１のロール状シートＰ０を連続シートＰ１として、インフィードロール１（上下に対向する所定速度で回転するニップロール）にて巻き出しながら、その連続シートＰ１の片面又は両面に、アルミニウム等の金属の蒸着膜、酸化珪素等の無機酸化物の蒸着膜等の薄膜を成膜して、アウトフィードロール２（上下に対向する所定速度で回転するニップロール）にて第２のロール状シートＰ２として巻き取る蒸着工程を備える。
【００２１】
続いて第２単位工程では、例えば、塗布用シート加工装置１００（コーター）や印刷用シート加工装置１００（プリンター）により、先に製造したロール状シートを第１のロール状シートＰ０から連続シートＰ１として、インフィードロール１にて巻き出しながら、その連続シートＰ１の蒸着膜上に、塗布用シート加工装置１００や印刷用シート加工装置が、樹脂液等を塗布して保護層や接着剤層をコーティング形成し、アウトフィードロール２にて、第２のロール状シートＰ２として巻き取るコーティング工程を備える。
【００２２】
続いて第３単位工程では、例えば、パターンエンボス加工用シート加工装置１００により、先に製造したロール状シートを第１のロール状シートＰ０から連続シートＰ１として、インフィードロール１にて巻き出しながら、その連続シートＰ１の表面をパターン状に凹凸エンボス加工して、アウトフィードロール２にて、第２のロール状シートＰ２として巻き取るパターンエンボス工程を備える。
【００２３】
この各シート加工装置１００は、連続シート巻き出し長さを、巻き出し長さ計測手段２１１（例えば、インフィードロール１又はアウトフィードロール２に同期して回転するパルスジェネレータ、ロータリーエンコーダなど）にて計測しながら、連続シートＰ１に対して加工を施す。
【００２４】
このシート加工装置１００は、図６に示すようなスリッター装置であっても良く、第１のロール状シートＰ０から巻き出した連続シートＰ１を、スリッター３により、２条乃至数条の各々連続シートに分割して、アウトフィードロール２にて第２のロール状シートＰ２に巻き取るようにしてもよい。
【００２５】
以上のようにして、ロール状原反を連続シートＰ１として巻き出しながら加工を施してロール状シートとして巻き取るシート加工装置１００、例えば、蒸着機又はコーターやプリンター又はパターンエンボス加工用シート加工装置１００による複数単位工程を経て最終的にロール状のシート加工製品を生産する生産工程で、それぞれの工程を１単位工程（又は１単位加工工程）として、それぞれの単位工程毎にシート加工製品製造システムを用いる。それにより、それぞれのシート加工装置１００を操作してロール状のシート加工製品を製造する作業の人為ミスを無くし、高品質にロール状のシート加工製品を製造できる効果がある。
【００２６】
（シート加工製品製造システムの動作手順）
図３は、第１の実施形態のシート加工製品製造システムの動作手順を示すフローチャートである。以下、図３を参照して本実施形態のシート加工製品製造システムの動作手順を示す。
【００２７】
まず、シート加工製品製造システムのナビゲーションシステム制御部２３０を起動する。
（ステップＳ１）
ナビゲーションシステム制御部２３０は、最初に、タッチパネル式の操作表示部２６０に図４（ａ）のような操作指示のメイン画面を表示し、操作者に、操作表示部２６０のタッチパネルの画面のボタン表示位置に接触させることで、画面に表示された項目の中から必要な項目を選択させる。
【００２８】
例えば、タッチパネルに表示された図４（ａ）のメイン画面の送り長さ設定ボタンＢ１
を操作者が押した場合は、図４（ｂ）のようなロールの送り長さ設定画面を操作表示部２６０に表示する。そして、操作者にタッチパネルから、ロールの送り長さを設定させる。ナビゲーションシステム制御部２３０は、その、ロールの送り長さデータを、巻き出し長さ計測手段２１１からの出力パルスを計数するシート製造長さカウンタのプリセットレジスタに設定する。シート製造長さカウンタは、プリセットレジスタとカウンタとから成るシート製造長さカウンタを装置信号受信部２１０に設置して用いることができる。または、シート製造長さカウンタを、ナビゲーションシステム制御部２３０によるカウンタ機能を用いて構成することもできる。このシート製造長さカウンタは、ロールから送り出すシートの長さが規定のロールの送り長さに達した場合に指定長さ到達信号を出力する。
【００２９】
また、タッチパネルに表示された図４（ａ）のメイン画面の作業項目選択ボタンＢ２を操作者が押した場合は、図４（ｃ）のような印刷作業の作業項目一覧を表示して、操作者に、操作表示部２６０のタッチパネルの画面のボタン表示位置に接触させることで、画面に表示された項目の中から必要な項目を選択させる。
【００３０】
（ステップＳ２）
次に、ナビゲーションシステム制御部２３０は、選択された作業項目を、記憶手段２４０が記憶する装置動作シーケンスデータＤ１００の動作選択欄Ｄ１０３に記録する。装置動作シーケンスデータＤ１００は、図２（ａ）のように、作業項目Ｄ１０１毎に、作業項目が感受する装置動作感知手段２１０が出力する装置動作感知信号Ｄ１０２が記録され、その作業項目の動作により装置制御部２２０に出力してシート加工装置１００を制御する制御出力信号Ｄ１０４が記録されている。
【００３１】
（ステップＳ３）
次に、ナビゲーションシステム制御部２３０は、操作者がタッチパネル式の操作表示部２６０の図４（ａ）のようなメイン画面の開始ボタンＢ３に接触すること等による指令確定指令を受信することで、その指令確定指令を合図に、装置制御部２２０にシート加工装置１００の運転を開始させる指令を送信する。ナビゲーションシステム制御部２３０は、シート加工装置１００の運転が所定の状態に達した場合に出力される装置動作感知手段２１０からの装置動作感知信号Ｄ１０２を待つ信号の監視と待機をする動作を開始する。ナビゲーションシステム制御部２３０の監視・待機動作は、記憶手段２４０が記録している動作プログラムに従って動作させることもでき、また、所定の条件で動作する電子回路に設定された条件に従って動作させることもできる。
【００３２】
（ステップＳ４）
シート加工装置１００の運転が継続され、シート加工装置１００の運転が所定の状態に達した場合に装置動作感知手段２１０が装置動作感知信号Ｄ１０２を出力する。ナビゲーションシステム制御部２３０は、その装置動作感知信号Ｄ１０２を受信した場合に、記憶手段２４０が記録している図２（ａ）のような装置動作シーケンスデータＤ１００に従って、その装置動作感知信号Ｄ１０２に応答するべき動作で、かつ、動作選択欄Ｄ１０３に記録されている動作の作業項目を読出し、その作業項目に従って制御出力信号Ｄ１０４を装置制御部２２０に出力させる処理を行う。
【００３３】
（ステップＳ５）
ナビゲーションシステム制御部２３０は、例えば、装置動作感知信号Ｄ１０２として巻き出し長さ０ｍ信号を受信した場合に、図２（ａ）の装置動作シーケンスデータＤ１００の巻き芯カット作業項目の動作を選択して制御出力信号Ｄ１０４として装置停止の制御信号を装置制御部２２０に送信する。それによりシート加工装置１００の運転が停止する。
【００３４】
（ステップＳ６）
更に、その選択された作業項目に対応して、記憶手段２４０が記録している図２（ｂ）のような表示画面データＤ２００を読み出し、その表示選択項目Ｄ２０１が巻き芯カットである表示データＤ２０２を図５のように操作表示部２６０に表示させる。それにより、操作者に選択された作業項目の作業開始のタイミングが通知される。
【００３５】
（ステップＳ７）
更に、ナビゲーションシステム制御部２３０は、警報部２５０の警報ランプを点灯させる。それにより、操作者に、選択された作業項目の作業開始のタイミングが来て、操作者の作業すべき内容が操作表示部２６０に表示されたことが通知される。
【００３６】
（変形例１）
以上のステップＳ５からステップＳ６の動作は、以下の様に、シート製造指示システムのナビゲーションシステム制御部２３０が、操作者の指示を受けることでシート加工装置１００を停止させるようにしても良い。
【００３７】
（ステップＳ５’）
ナビゲーションシステム制御部２３０は、例えば、装置動作感知信号Ｄ１０２として巻き出し長さ０ｍ信号を受信した場合に、図２（ａ）の装置動作シーケンスデータＤ１００の巻き芯カット作業項目の動作を選択して、その選択された作業項目に対応して、記憶手段２４０が記録している図２（ｂ）のような表示画面データＤ２００を読み出し、その表示選択項目Ｄ２０１が巻き芯カットである表示データＤ２０２を操作表示部２６０に表示させる。それにより、操作者に選択された作業項目の作業開始のタイミングが通知される。
【００３８】
（ステップＳ６’）
更に、ナビゲーションシステム制御部２３０は、警報部２５０の警報ランプを点灯させる。それにより、操作者に、選択された作業項目の作業開始のタイミングが来て、操作者の作業すべき内容が操作表示部２６０に表示されたことが通知される。
【００３９】
（ステップＳ７’）
操作者は、操作表示部２６０に操作案内の画面が表示されたことを確認したら、シート加工装置１００を停止させる操作を行い、画面の操作案内に従って作業をする。ここまでの動作を、変形例１の動作として行うことができる。
【００４０】
（ステップＳ８）
ナビゲーションシステム制御部２３０は、操作者が選択された作業項目の作業を終えた後に、操作者に確認ボタン指令を入力せるために、操作表示部２６０に表示する図５の表示画面データに、タッチパネルの確認ボタンＢＳを表示させる。操作者にタッチパネルのその確認ボタンＢＳの位置に接触させることで、ナビゲーションシステム制御部２３０は、その確認ボタン指令に従って、装置制御部２２０にシート加工装置１００の運転を再開させる動作開始信号を送信する。それにより、装置制御部２２０がシート加工装置１００の運転を再開させる。
【００４１】
また、ナビゲーションシステム制御部２３０は、シート加工装置１００の運転が次の所定の状態に達した場合に出力される装置動作感知手段２１０からの装置動作感知信号Ｄ１０２を待つ信号の監視と待機をする動作を開始し、ステップＳ４以降の処理を繰り返す。
【００４２】
（変形例２）
以上で説明したステップＳ８の動作は以下のように変えても良い。
（ステップＳ８’）
シート製造指示システムのナビゲーションシステム制御部２３０は、シート加工装置１００が停止した時点から、装置制御部２２０をシート加工装置１００の運転の再開を防止する状態に維持し、シート加工装置を停止させ続ける。そして、確認ボタンＢＳが押された場合は、その確認ボタンＢＳによる動作指令に従って、ナビゲーションシステム制御部２３０が装置制御部２２０をシート加工装置１００の運転の再開を許可する動作開始許可状態に設定し、シート加工装置１００が操作者の指示に従って運転を開始できるようにする。こうして、装置制御部２２０が動作開始許可状態に設定されるまで、装置制御部２２０をシート加工装置１００の運転の再開を防止する状態に維持し、シート加工装置を停止させ続ける。
【００４３】
そして、ナビゲーションシステム制御部２３０は、確認ボタンＢＳが押されない状態で、操作者がシート加工装置１００の運転の開始を指令すると、装置制御部２２０によってシート加工装置１００の運転の再開を防止するとともに、警報部２５０の警報ランプを点灯させ、操作者に作業が完了していないことを通知する。
【００４４】
確認ボタンＢＳが押されてシート加工装置１００の運転が再開された場合は、ナビゲーションシステム制御部２３０は、次に行うべき待機モードに移行し、次の待機モードで装置動作感知手段２１０の出力信号（装置動作感知信号Ｄ１０２）を監視する動作を開始し、ステップＳ４以降の処理を繰り返す。
【００４５】
このように、本実施形態は、確認ボタンＢＳが押されない限りシート加工装置１００の運転が再開できないようにすることで、操作者が作業内容を確認することなく、シート加工装置１００の運転が再開されてしまう作業の人為ミスを低減できる効果がある。
【００４６】
（ステップＳ９）
ナビゲーションシステム制御部２３０は、ステップＳ４以降の動作を繰り返し、すべての作業が完了した段階で生産が終了し、シート加工装置１００の運転を終了する。
【００４７】
＜第２の実施形態＞
以下、第２の実施形態を図６から図１０を参照して説明する。第２の実施形態は、ロール状のシート加工製品を製造する工程の１つのスリッター工程に本発明を適用する。スリッター工程では、スリッター工程以前の工程で発生した品質不良部を手作業で除去するために、多種の複雑な工程の手作業が必要である。その手作業を行う工程には以下のものがある。
（Ａ）巻芯カット工程。
（Ｂ）巻芯テープ止工程。
（Ｃ）紙管止めテープ切り込み工程。
（Ｄ）エンドテープ貼付け工程。
（Ｅ）継目への耳付け工程。
（Ｆ）巻外カット工程。
（Ｇ）巻外のテープ止め工程。
（Ｈ）サンプル採取工程。
第２の実施形態のシート加工製品製造システムは、これらの工程の手作業を誤り無く行わせるように支援できる効果が大きい。
【００４８】
（シート加工製品製造システムの構成）
図６は、第２の実施形態のシート加工製品製造システムのブロック図である。第２の実施形態のシート加工製品製造システムは、スリッター工程におけるスリッター装置であるシート加工装置１００に第１の実施形態と同様にシート製造指示システムを設置する。第２の実施形態では、特に、シート製造指示システムの装置動作感知手段２１０として、シ
ート加工装置１００の連続シートＰ１の巻き出し長さを計測する巻き出し長さ計測手段２１１と、連続シートＰ１の継目を検出する継目センサ２１２と、シャフト設置確認センサ２１３を設置する。これらの装置動作感知手段２１０が感知した装置の状態を示す信号をナビゲーションシステム制御部２３０に出力する。そして、第１の実施形態と同様に、シート加工装置１００の停止、開始の制御を行う装置制御部２２０を設置する。
【００４９】
装置動作感知手段２１０の１つである継目センサ２１２は、ウェブ状で製造される印刷物の継ぎ目や切れを検出する機器である。シャフト設置確認センサ２１３は、シャフトが挿入されているかを検出する装置である。また、装置動作感知手段２１０の１つである巻き出し長さ計測手段２１１は、第１のロール状シートＰ０から連続シートＰ１が巻き出されて印刷物の製造がどれくらい進んだかを計測する機器である。この巻き出し長さ計測手段２１１には、その出力パルスを計数するシート製造長さカウンタを設け、そのシート製造長さカウンタのプリセットレジスタにロールの送り長さデータを設定することができる。このシート製造長さカウンタは、ロールから送り出すシートの長さが規定のロールの送り長さに達した場合に指定長さ到達信号を出力する。
【００５０】
第１の実施形態と同様に、シート製造指示システムのナビゲーションシステム制御部２３０は、装置動作感知手段２１０が出力した信号に基づいて、記憶手段２４０から操作表示部２６０に表示させる画面データを呼び出し、タッチパネル式の操作表示部２６０に表示させる。このとき操作者に通知するために警報ランプあるいは音声出力部を有する警報部２５０を用いて通知する。また、ナビゲーションシステム制御部２３０は、タッチパネル式の操作表示部２６０からの操作者の指令を受信し、それに従って、装置制御部２２０を制御することで、シート加工装置１００の停止、開始の制御を行う。
【００５１】
（シート加工製品製造システムの動作手順）
図７と図８は、第２の実施形態のシート加工製品製造システムの動作手順を示すフローチャートである。以下、図７と図８を参照して本実施形態のシート加工製品製造システムの動作手順を示す。
【００５２】
まず、シート加工製品製造システムのナビゲーションシステム制御部２３０を起動する。
（ステップＳ１）
ナビゲーションシステム制御部２３０は、最初に、タッチパネル式の操作表示部２６０に図４（ｃ）のような印刷作業の作業項目一覧を表示して、操作者に、操作表示部２６０のタッチパネルの画面のボタン表示位置に接触させることで、画面に表示された項目の中から必要な項目を選択させる。
【００５３】
（ステップＳ２）
ナビゲーションシステム制御部２３０は、操作者が、タッチパネルに図４（ｃ）のように表示されている作業項目の中から必要な作業項目を選択する指令を読み込む。作業項目の選択方法は、作業者が図４（ｃ）の画面のタッチパネルの所定の作業項目に指を接触させることで作業項目が選択される。仮に操作者が「巻き芯カット位置」「巻き芯止めテープ使用」「紙管止めテープ切り込み」「継ぎ目耳だし」「巻き外止めテープ使用」「巻き外カット位置」の７項目を選択するものとする。
【００５４】
ナビゲーションシステム制御部２３０は、この選択された７項目の作業項目を記憶手段２４０の装置動作シーケンスデータＤ１００の動作選択欄Ｄ１０３に記録する。記憶手段２４０の装置動作シーケンスデータＤ１００は、図２（ａ）のように、作業項目Ｄ１０１毎に、作業項目が感受する装置動作感知手段２１０の出力信号である装置動作感知信号Ｄ１０２が記録され、その作業項目の動作により装置制御部２２０に出力してシート加工装
置１００を制御する制御出力信号Ｄ１０４が記録されている。
【００５５】
（ステップＳ３）
次に、ナビゲーションシステム制御部２３０は、操作者がタッチパネル式の操作表示部２６０の図４（ａ）のようなメイン画面の開始ボタンＢ３に接触することで、シート加工装置運転開始指令を操作者から受ける。それにより、ナビゲーションシステム制御部２３０は、シート加工装置１００の運転を開始させる指令を装置制御部２２０に送信する。そして、ナビゲーションシステム制御部２３０は、シート加工装置１００の運転が所定の状態に達した場合に出力される装置動作感知手段２１０からの装置動作感知信号Ｄ１０２を待つ信号の監視と待機をする動作を開始する。
【００５６】
（ステップＳ４）
シート加工装置１００の運転を開始すると、最初に、装置動作感知手段２１０の１つの巻き出し長さ計測手段２１１が、巻き出し長さ０ｍ信号を出力する。また、シート製造長さカウンタがリセット信号を出力する。その際に、シート製造長さカウンタのプリセットレジスタにロールの送り長さデータを記憶させる。シート製造長さカウンタは、それ以降にロールがシートを送り出す都度、カウントダウンし、規定のロールの送り長さに達した場合に指定長さ到達信号を出力する。
【００５７】
（ステップＳ５）
ナビゲーションシステム制御部２３０は、巻き出し長さ０ｍ信号とシート製造長さカウンタのリセット信号とを受信すると、図２（ａ）の装置動作シーケンスデータＤ１００の巻き芯カット作業項目の動作を選択して制御出力信号Ｄ１０４として装置停止の制御信号を装置制御部２２０に送信する。それによりシート加工装置１００の運転が停止する。
【００５８】
装置動作シーケンスデータＤ１００には、巻き出し長さ０ｍ信号に応答する動作として、複数の作業項目を設定する。そして、その複数の作業項目に優先順位を設定しておき、優先順位の高い作業項目から順に実施する。この最初の作業項目は、「巻き芯カット」であり、２番目が「巻き芯止めテープ使用」で、３番目が「紙管止めテープ切込み」で、４番目が「エンドテープ」の作業項目である。
【００５９】
（ステップＳ６）
すなわち、先ず、選択された作業項目に対応して、記憶手段２４０が記録している図２（ｂ）のような表示画面データＤ２００を読み出し、その表示選択項目Ｄ２０１が巻き芯カットである表示データＤ２０２を読み出し、その表示画面データＤ２００に従って、図５のように、操作表示部２６０のタッチパネルに、「巻き芯指定位置でカットしてください」という画像を表示させる。ナビゲーションシステム制御部２３０は、その画像の表示と共に警報部２５０の警報ランプを点灯させ、操作者に巻き芯カット作業項目の作業開始のタイミングを操作者に通知する。
【００６０】
それにより、操作者はタッチパネル式の操作表示部２６０に表示されている操作案内画面を確認し、操作案内に基づいて、巻き芯を指定位置でカットする作業を行う。カットした後はタッチパネルの図５の画面の確認ボタンＢＳに接触する（ボタンを押す）。
【００６１】
（ステップＳ７）
ナビゲーションシステム制御部２３０は、その確認ボタンＢＳが押されるまで待機し、その確認ボタンＢＳが押されたことを確認した場合に、それに応じて操作表示部２６０に表示させるべく記憶手段２４０に記憶した図９（ａ）のような巻き芯テープ止め指示画面の表示画面データを記憶手段２４０から呼び出し、その表示画面データを図９（ａ）のように、操作表示部２６０のタッチパネルに、「巻き芯指定テープで止めて下さい」という
画像を表示させる。
【００６２】
それにより、操作者は、タッチパネル式の操作表示部２６０に表示されている操作案内画面を確認し、操作案内に基づいて、巻き芯指定テープで止める。止めた後はタッチパネルの図９（ａ）の画面の確認ボタンＢＳに接触することでボタンを押す。
【００６３】
（ステップＳ８）
ナビゲーションシステム制御部２３０は、その確認ボタンＢＳが押されるまで待機し、その確認ボタンＢＳが押されたことを確認した場合に、それに応じて操作表示部２６０に表示させるべく記憶手段２４０に記憶した図９（ｂ）のような紙管止めテープ切れ込み作業指示画面の表示画面データを記憶手段２４０から呼び出し、その表示画面データを図９（ｂ）のように、操作表示部２６０のタッチパネルに、「紙管止めテープに切込を入れて下さい」という画像を表示させる。
【００６４】
それにより、操作者は、タッチパネル式の操作表示部２６０に表示されている操作案内画面を確認し、操作案内に基づいて、紙管止めテープに切れ込みを入れる。切れ込みを入れた後はタッチパネルの図９（ｂ）の画面の確認ボタンＢＳを押す。
【００６５】
（ステップＳ９）
ナビゲーションシステム制御部２３０は、その確認ボタンＢＳが押されるまで待機し、その確認ボタンＢＳが押されたことを確認した場合に、それに応じて操作表示部２６０に表示させるべく記憶手段２４０に記憶した図９（ｃ）のようなエンドテープ貼付け指示画面の表示画面データを記憶手段２４０から呼び出し、その表示画面データを図９（ｃ）のように、操作表示部２６０のタッチパネルに、「エンドテープを貼って下さい」という画像を表示させる。
【００６６】
それにより、操作者は、タッチパネル式の操作表示部２６０に表示されている操作案内画面を確認し、操作案内に基づいて、エンドテープを貼る。貼った後はタッチパネルの図９（ｃ）の画面の確認ボタンＢＳを押す。
【００６７】
（ステップＳ１０）
ナビゲーションシステム制御部２３０は、その確認ボタンＢＳが押されるまで待機し、その確認ボタンＢＳが押されたことを確認した場合に、それに応じて装置制御部２２０にシート加工装置１００の運転を開始させる指令を送信する。それと同時に、設定された待機モードで装置動作感知手段２１０の出力信号（装置動作感知信号Ｄ１０２）を監視する動作を開始する。
【００６８】
（変形例３）
以上で説明したステップＳ１０の動作は以下のように変えても良い。
（ステップＳ１０’）
ナビゲーションシステム制御部２３０は、シート加工装置１００が停止した時点から、装置制御部２２０をシート加工装置１００の運転の再開を防止する状態に維持し、シート加工装置を停止させ続ける。そして、タッチパネルの図９（ｃ）の画面の確認ボタンＢＳが押された場合は、その確認ボタンＢＳによる動作指令に従って、ナビゲーションシステム制御部２３０が装置制御部２２０をシート加工装置１００の運転の再開を許可する動作開始許可状態に設定し、シート加工装置１００が操作者の指示に従って運転を開始できるようにする。こうして、装置制御部２２０が動作開始許可状態に設定されるまで、装置制御部２２０をシート加工装置１００の運転の再開を防止する状態に維持し、シート加工装置を停止させ続ける。
【００６９】
そして、ナビゲーションシステム制御部２３０は、確認ボタンＢＳが押されない状態で、操作者がシート加工装置１００の運転の開始を指令すると、装置制御部２２０によってシート加工装置１００の運転の再開を防止するとともに、警報部２５０の警報ランプを点灯させ、操作者に作業が完了していないことを通知する。
【００７０】
タッチパネルの図９（ｃ）の画面の確認ボタンＢＳが押されてシート加工装置１００の運転が再開された場合は、設定された待機モードで装置動作感知手段２１０の信号を監視する動作を開始する。
【００７１】
このように、本実施形態は、タッチパネルの図９（ｃ）の画面の確認ボタンＢＳが押されない限りシート加工装置１００の運転が再開できないようにすることで、操作者が作業内容を確認することなく、シート加工装置１００の運転が再開されてしまう作業の人為ミスを低減できる効果がある。
【００７２】
（ステップＳ１１）
シート加工装置１００の運転を開始し、次に、ロール状のシート加工製品の継目が継目センサ２１２で検出されると、継目センサ２１２が、継目検出信号を出力する。ナビゲーションシステム制御部２３０は、この継目検出信号を受信すると、受信した信号と、記憶手段２４０の記録している装置動作シーケンスデータＤ１００に従って、継目耳出し作業項目の動作を実行する。
【００７３】
（ステップＳ１２）
ナビゲーションシステム制御部２３０は、継目耳出し作業項目に対応して操作表示部２６０に表示させるべく記憶手段２４０に記憶した図１０（ａ）のような継目耳出し指示画面の表示画面データを記憶手段２４０から呼び出し、その表示画面データを図１０（ａ）のように、操作表示部２６０のタッチパネルに、「継目部分に耳出しテープを貼って下さい」という画像を表示させる。ナビゲーションシステム制御部２３０は、その画像の表示と共に警報部２５０の警報ランプを点灯させ、操作者に継目耳出し作業項目の作業開始のタイミングが通知される。
【００７４】
それにより、操作者は、タッチパネル式の操作表示部２６０に表示されている操作案内画面を確認し、操作案内に基づいて、継ぎ目部分に耳だしテープを貼る。貼った後はタッチパネルの図１０（ａ）の画面の確認ボタンＢＳを押す。
【００７５】
（ステップＳ１３）
ナビゲーションシステム制御部２３０は、タッチパネルの図１０（ａ）の画面の確認ボタンＢＳが押されるまで待機し、その確認ボタンＢＳが押されたことを確認した場合に、それに応じて装置制御部２２０にシート加工装置１００の運転を開始させる指令を送信する。それと同時に、設定された待機モードで装置動作感知手段２１０の出力信号（装置動作感知信号Ｄ１０２）を監視する動作を開始する。
【００７６】
（ステップＳ１４）
シート加工装置１００の運転を開始し、次に、連続シートＰ１が所定のロールの送り長さに達した場合に、シート製造長さカウンタが指定長さ到達信号を出力する。
（ステップＳ１５）
ナビゲーションシステム制御部２３０は、シート製造長さカウンタから指定長さ到達信号を受信すると、図２（ａ）の装置動作シーケンスデータＤ１００に従って、巻き外止めテープ項目の動作を選択して制御出力信号Ｄ１０４として装置停止の制御信号を装置制御部２２０に送信する。それによりシート加工装置１００の運転が停止する。
【００７７】
（ステップＳ１６）
ナビゲーションシステム制御部２３０は、巻き外止めテープ項目に対応して操作表示部２６０に表示させるべく記憶手段２４０に記憶した図１０（ｂ）のような巻き外止めテープ指示画面の表示画面データを記憶手段２４０から呼び出し、その表示画面データを図１０（ｂ）のように、操作表示部２６０のタッチパネルに、「巻外指定テープで止めてください」という画像を表示させる。ナビゲーションシステム制御部２３０は、その画像の表示と共に警報部２５０の警報ランプを点灯させ、操作者に巻き外止めテープ作業項目の作業開始のタイミングが通知される。
【００７８】
それにより、操作者は、タッチパネル式の操作表示部２６０に表示されている操作案内画面を確認し、操作案内に基づいて、巻外指定テープを貼る。貼った後はタッチパネルの図１０（ｂ）の画面の確認ボタンＢＳを押す。
【００７９】
（ステップＳ１７）
ナビゲーションシステム制御部２３０は、タッチパネルの図１０（ｂ）の画面の確認ボタンＢＳが押されるまで待機し、その確認ボタンＢＳが押されたことを確認した場合に、それに応じて操作表示部２６０に表示させるべく記憶手段２４０に記憶した図１０（ｃ）のような巻外カット指示画面の表示画面データを記憶手段２４０から呼び出し、その表示画面データを図１０（ｃ）のように、操作表示部２６０のタッチパネルに、「巻外指定位置でカットしてくだい」という画像を表示させる。
【００８０】
それにより、操作者は、タッチパネル式の操作表示部２６０に表示されている操作案内画面を確認し、操作案内に基づいて、巻外指定位置でカットする。カットした後はタッチパネルの図１０（ｃ）の画面の確認ボタンＢＳを押す。
【００８１】
（ステップＳ１８）
ナビゲーションシステム制御部２３０は、タッチパネルの図１０（ｃ）の画面の確認ボタンＢＳが押されるまで待機し、その確認ボタンＢＳが押されたことを確認した場合に、それに応じて装置制御部２２０に、シート加工装置１００を停止させる制御を行わせ、それによってロール状のシート加工製品の生産を終了する。
【００８２】
本実施形態のシート加工製品製造システムによると、タッチパネル式の操作表示部２６０に表示される案内に基づいて操作者が作業を行うので、操作者の手作業において、操作に慣れていない操作者であっても操作を間違えることなくロール状のシート加工製品を製造する作業を行うことができる効果がある。
【００８３】
＜第３の実施形態＞
以下、図１１から図１５を参照して第３の実施形態を説明する。第３の実施形態では、シート加工製品製造システムに、自動的に作業項目を選択する機能を加えた。
【００８４】
（シート加工製品製造システムの構成）
図１１は、第３の実施形態のシート加工製品製造システムのブロック図である。第３の実施形態のシート加工製品製造システムは、第１の実施形態（及び第２の実施形態）のシート製造指示システムに入稿システム２７０を加える。第３の実施形態では、その入稿システム２７０にナビゲーションシステム制御部２３０を接続し、入稿システム２７０から仕様書データを受信する。それ以外の構成は第１の実施形態（及び第２の実施形態）と同様であり、シート加工装置１００の動作状態を感知する装置動作感知手段２１０と、シート加工装置１００の停止、開始の制御を行う装置制御部２２０を設置する。そして、装置動作感知手段２１０が感知した装置の状態をナビゲーションシステム制御部２３０に出力する。
【００８５】
入稿システム２７０は入稿情報入力部２７１、入稿情報記憶手段２７２、仕様書情報送信部２７３を少なくとも備えている。この入稿システム２７０とシート製造指示システムとは一体の装置で構成しても良く、あるいは、入稿システム２７０とシート製造指示システムは、互いに独立した演算装置及び入出力手段と記憶手段を備えた装置で構成して互いを通信手段で結んで構成しても良い。
【００８６】
入稿情報入力部２７１は、装置動作シーケンスデータＤ１００と表示画面データＤ２００、及び、仕様書情報のデータＤ３００を入力する手段である。装置動作シーケンスデータＤ１００の情報と表示画面データＤ２００の情報と仕様書情報のデータＤ３００を一体としたものを入稿情報と定義する。入稿情報記憶手段２７２は、入稿情報のデータを記録しておく手段である。仕様書情報送信部２７３は、ナビゲーションシステム制御部２３０の要求に応じて、仕様書情報を送信する手段である。
【００８７】
また、第１の実施形態と同様に、ナビゲーションシステム制御部２３０は、装置動作感知手段２１０が出力した信号に基づいて、記憶手段２４０から操作表示部２６０に表示させる表示画面データＤ２００を呼び出し、タッチパネル式の操作表示部２６０に表示させる。このとき操作者に通知するために警報ランプあるいは音声出力部を有する警報部２５０を用いて通知する。また、ナビゲーションシステム制御部２３０は、タッチパネル式の操作表示部２６０からの操作者の指令を受信し、その指令に従って装置制御部２２０を制御することで、シート加工装置１００の停止と開始の制御を行う。
【００８８】
（シート加工製品製造システムの動作手順）
図１２と図１３は、第３の実施形態のシート加工製品製造システムの動作手順を示すフローチャートである。以下、図１２と図１３を参照して本実施形態のシート加工製品製造システムの動作手順を示す。
【００８９】
（ステップＳ１０１）
まず、入稿システム２７０の入稿情報入力部２７１から装置動作シーケンスデータＤ１００と表示画面データＤ２００、及び、仕様書情報のデータＤ３００が入力される。装置動作シーケンスデータＤ１００には、図２（ａ）のように、作業項目Ｄ１０１毎に、作業項目が感受する装置動作感知手段２１０の出力信号である装置動作感知信号Ｄ１０２を記録し、その作業項目の動作により装置制御部２２０に出力してシート加工装置１００を制御する制御出力信号Ｄ１０４を記録する。表示画面データＤ２００には、図２（ｂ）のように、操作表示部２６０の画面に表示する表示画面項目Ｄ２０１に対応して表示すべき表示データＤ２０２を記録する。仕様書情報のデータＤ３００は、図１５のように、製品情報データＤ３０１と、選択作業項目データＤ３０２のデータと、その他のデータから成る。製品情報データＤ３０１は、製品名や製品種別名のデータである。
【００９０】
（ステップＳ１０２）
入力された装置動作シーケンスデータＤ１００と表示画面データＤ２００、及び、仕様書情報のデータＤ３００が入稿情報として入稿情報記憶手段２７２に保存される。入稿情報記憶手段２７２は、装置動作シーケンスデータＤ１００と表示画面データＤ２００をナビゲーションシステム制御部２３０に送信して記憶手段２４０に記憶させる。
【００９１】
次に、シート加工製品製造システムのナビゲーションシステム制御部２３０を起動する。
（ステップＳ１）
ナビゲーションシステム制御部２３０は、最初に、タッチパネル式の操作表示部２６０に図１４（ａ）のような操作指示のメイン画面を表示し、操作者に、操作表示部２６０の
タッチパネルの画面のボタン表示位置に接触させることで、画面に表示された項目の中から必要な項目を選択させる。
【００９２】
タッチパネルの図１４（ａ）の画面に表示された送り長さ設定ボタンＢ１を操作者が押した場合は、図４（ｂ）のようなロールの送り長さ設定画面を表示して、操作者に、操作表示部２６０のタッチパネルの画面の数値増加ボタンＢ４と数値減少ボタンＢ５に接触させて、ロールの送り長さを設定させる。ナビゲーションシステム制御部２３０は、設定されたロールの送り長さのデータを、シート製造長さカウンタのプリセットレジスタに設定する。
【００９３】
（ステップＳ１０４）
また、タッチパネルの図１４（ａ）の画面に表示された製品情報入力ボタンＢ１０１を操作者が押した場合は、図１４（ｂ）の製品情報入力画面を表示して、操作者に、操作表示部２６０のタッチパネルの画面の画面切替ボタンＢ１０２に接触させることで、画面を図１４（ｂ）の画面と図１４（ｃ）の画面を切り替えて、操作者に数字入力ボタンＢ１０３及び文字入力ボタンＢ１０４に接触させることで製品情報データＤ３０１の数字と文字をタッチパネルから入力させる。
【００９４】
（ステップＳ１０５）
ナビゲーションシステム制御部２３０は、操作者に製品情報データＤ３０１を入力させた後は、操作者に、タッチパネルの図１４（ｂ）または図１４（ｃ）の画面の確認ボタンＢＳを押させる。ナビゲーションシステム制御部２３０は、その画面の確認ボタンＢＳが押されるまで待機し、その確認ボタンＢＳが押された場合に、その製品情報データＤ３０
１を入稿システム２７０の仕様書情報送信部２７３に送信に送信して、その製品情報データＤ３０１に対応した仕様書情報のデータＤ３００を要求する。
【００９５】
（ステップＳ１０６）
入稿システム２７０は、ナビゲーションシステム制御部２３０からその製品情報データＤ３０１を受信した場合は、それに応じて、入稿情報記憶手段２７２のデータを読み出して、製品情報データＤ３０１に対応する仕様書情報のデータＤ３００を抽出し、ナビゲーションシステム制御部２３０へ送信する。
【００９６】
（ステップＳ１０７）
ナビゲーションシステム制御部２３０は、仕様書情報のデータＤ３００を受信すると、仕様書情報のデータＤ３００の中から選択作業項目データＤ３０２を抽出する。その結果、例えば選択作業項目データＤ３０２として、「巻き芯カット位置」「巻き芯止めテープ使用」「紙管止めテープ切り込み」「継ぎ目耳だし」「巻き外止めテープ使用」「巻き外カット位置」の７項目の作業項目が選択される。その場合に、ナビゲーションシステム制御部２３０は、記憶手段２４０の記録する、選択された７項目の作業項目に対応する装置動作シーケンスデータＤ１００の動作選択欄Ｄ１０３に、作業項目が選択されたことを記録する。
【００９７】
（ステップＳ３）
次に、ナビゲーションシステム制御部２３０は、装置制御部２２０にシート加工装置１００の運転を開始させる指令を送信する。それと同時に、設定された待機モードで装置動作感知手段２１０の出力信号（装置動作感知信号Ｄ１０２）を監視する動作を開始する。
【００９８】
ナビゲーションシステム制御部２３０は、それ以降は、第１の実施形態の場合と同様にして、図１３のフローチャートに従って動作する。
【００９９】
本実施形態は、このように、ナビゲーションシステム制御部２３０が入稿システム２７０の仕様書情報のデータを取得することで、ナビゲーションシステム制御部２３０が作業項目を自動的に選択して動作する。これにより、操作者が仕様書を確認しながら項目を選択する必要が無いので、操作者の手作業において、作業項目の選択ミスによるミスが発生しない効果がある。
【産業上の利用可能性】
【０１００】
本発明は、ロール状原反を生産材として、塗工などの加工を行い、最終的にロール状のシート加工製品を製造するシート加工製品製造システムに適用できる。また、本発明は、ロール状のシート加工製品を製造するシート加工製品製造システムに限定されず、オフセット枚葉印刷装置等でシート加工製品を製造するシート加工製品製造システムにも適用できる。
【符号の説明】
【０１０１】
１・・・インフィードロール
２・・・アウトフィードロール
３・・・スリッター
１００・・・シート加工装置
２１０・・・装置信号受信部
２１１・・・巻き出し長さ計測手段
２１２・・・継目センサ
２１３・・・シャフト設置確認センサ
２２０・・・装置制御部
２３０・・・ナビゲーションシステム制御部
２４０・・・記憶手段
２５０・・・警報部
２６０・・・操作表示部
２７０・・・入稿システム
２７１・・・入稿情報入力部
２７２・・・入稿情報記憶手段
２７３・・・仕様書情報送信部
Ｂ１・・・送り長さ設定ボタン
Ｂ２・・・作業項目選択ボタン
Ｂ３・・・開始ボタン
Ｂ４・・・数値増加ボタン
Ｂ５・・・数値減少ボタン
Ｂ１０１・・・製品情報入力ボタン
Ｂ１０２・・・画面切替ボタン
Ｂ１０３・・・数字入力ボタン
Ｂ１０４・・・文字入力ボタン
ＢＳ・・・確認ボタン
Ｄ１００・・・装置動作シーケンスデータ
Ｄ１０１・・・作業項目
Ｄ１０２・・・装置動作感知信号
Ｄ１０３・・・動作選択欄
Ｄ１０４・・・制御出力信号
Ｄ２００・・・表示画面データ
Ｄ２０１・・・表示画面項目
Ｄ２０２・・・表示データ
Ｄ３００・・・仕様書情報のデータ
Ｄ３０１・・・製品情報データ
Ｄ３０２・・・選択作業項目データ
Ｐ０・・・第１のロール状シート
Ｐ１・・・連続シート
Ｐ２・・・第２のロール状シート
【図１】
0006031830.tif 000002
【図２】
0006031830.tif 000003
【図３】
0006031830.tif 000004
【図４】
0006031830.tif 000005
【図５】
0006031830.tif 000006
【図６】
0006031830.tif 000007
【図７】
0006031830.tif 000008
【図８】
0006031830.tif 000009
【図９】
0006031830.tif 000010
【図１０】
0006031830.tif 000011
【図１１】
0006031830.tif 000012
【図１２】
0006031830.tif 000013
【図１３】
0006031830.tif 000014
【図１４】
0006031830.tif 000015
【図１５】
0006031830.tif 000016